(57)【要約】【課題】カバー部材が外れ難いダクトを提供する。【解決手段】ベース部材１２と、ベース部材１２に対してベース部材１２の法線方向で係合して固定されるカバー部材１３と、を備え、カバー部材１３とベース部材１２とを係合させる係合解除自在な係合機構が、係合爪１８と係合爪１８に法線方向で係合してベース部材１２に対してカバー部材１３が離間する方向へ移動することを防止する爪受部とを有する第１係合機構１６と、差込部と差込部が上下方向から差し込まれてカバー部材１３の側壁がベース部材１２の面方向外方側に押されたときにカバー部材１３の側壁の変形を防止する受け部とを有する第２係合機構１７と、を備え、第１係合機構１６と第２係合機構１７とが、面方向で並んで配置されている。【選択図】図２
2019105348.tif 000002
【特許請求の範囲】
【請求項１】
取付部に固定されるベース部材と、該ベース部材に対して該ベース部材の法線方向で係合して固定されて該ベース部材との間で給湯管を収容する空間を形成すべく天壁及び側壁を有するカバー部材と、を備え、前記カバー部材と前記ベース部材とを係合させる係合解除自在な係合機構が、係合爪と該係合爪に法線方向で係合して前記ベース部材に対して前記カバー部材が法線方向で離間する方向へ移動することを防止する爪受部とを有する第１係合機構と、差込部と該差込部が法線方向から差し込まれて前記カバー部材の側壁が前記ベース部材の面方向外方側に押されたときに該カバー部材の側壁の変形を防止する受け部とを有する第２係合機構と、を備え、前記第１係合機構と前記第２係合機構とが、面方向で並んで配置されていることを特徴とするダクト。
【請求項２】
前記係合爪を複数備え、前記係合爪及び前記受け部が、前記カバー部材の側壁の内面に備え、前記受け部が、一方の前記係合爪と他方の前記係合爪との間に設けられていることを特徴とする請求項１に記載のダクト。
【請求項３】
前記カバー部材が合成樹脂から構成され、前記受け部が、前記カバー部材に一体形成されるとともに、法線方向における前記差込部の差し込み始端側となる一端が開口し、かつ、差し込み終端側となる他端が閉塞した袋状に構成されていることを特徴とする請求項１又は２に記載のダクト。
【請求項４】
前記天壁及び前記側壁の内面に、該両壁に亘るように内側に突出する補強用リブを備え、前記給湯管は、山部と谷部とが交互に配置される蛇腹管からなり、前記補強用リブは、管軸心方向に所定ピッチを置いて複数備え、前記補強用リブの所定ピッチを、前記蛇腹管の谷部のピッチに一致させていることを特徴とする請求項１に記載のダクト。
【発明の詳細な説明】
【技術分野】
【０００１】
本発明は、給湯管を保護するためのダクトに関する。
【０００２】
上記ダクトとしては、例えば壁面に固定される基台部材と、該基台部材に組み付けられて該基台部材との間で給湯管を収容する空間を形成すべく円弧状の天壁及び天壁から下方に延びる一対の側壁を有するカバー部材と、を備えている。基台部材にカバー部材を係合により固定するための係合機構を基台部材とカバー部材とに備えている。前記係合機構は、基台部材における管軸心方向と直交する幅方向両端のそれぞれに備えたフック部と、該フック部に上下方向で係合すべく一対の側壁の内面下部のそれぞれに備えた係合部とから構成されている。
【０００３】
したがって、カバー部材を基台部材に法線方向上方から被せるように移動させることによって、カバー部材の側壁に備える係合部が基台部材のフック部と当接することにより側壁が基台部材の幅方向外側へ弾性変形する。その変形した状態でフック部を乗り越えることにより前記当接が解除され、外側に広がっていた側壁が弾性復元力により内側に戻ることで係合部がフック部に上下方向で係合して、基台部材にカバー部材が固定される（例えば特許文献１）。
【先行技術文献】
【特許文献】
【０００４】
【特許文献１】特開２００３−２５４４９３号公報
【発明の概要】
【発明が解決しようとする課題】
【０００５】
ところで、給湯管にお湯を流す度に給湯管が熱膨張を起こす。この給湯管の熱膨張によってカバー部材の天壁が基台部材から離間する上方へ移動することをフック部と係合部との係合で防止することができるものの、給湯管の熱膨張によってカバー部材の側壁が基台部材の幅方向外側へ押されてしまうと、フック部に係合している係合部が外側へ逃げてフック部との係合が解除されてしまう。その結果、カバー部材が基台部材から外れてしまうという不都合が発生していた。
【０００６】
本発明は前述の状況に鑑み、解決しようとするところは、カバー部材が外れ難いダクトを提供するものである。
【課題を解決するための手段】
【０００７】
本発明のダクトは、前述の課題解決のために、取付部に固定されるベース部材と、該ベース部材に対して該ベース部材の法線方向で係合して固定されて該ベース部材との間で給湯管を収容する空間を形成すべく天壁及び側壁を有するカバー部材と、を備え、前記カバー部材と前記ベース部材とを係合させる係合解除自在な係合機構が、係合爪と該係合爪に法線方向で係合して前記ベース部材に対して前記カバー部材が法線方向で離間する方向へ移動することを防止する爪受部とを有する第１係合機構と、差込部と該差込部が法線方向から差し込まれて前記カバー部材の側壁が前記ベース部材の面方向外方側に押されたときに該カバー部材の側壁の変形を防止する受け部とを有する第２係合機構と、を備え、前記第１係合機構と前記第２係合機構とが、面方向で並んで配置されていることを特徴としている。
【０００８】
本発明によれば、給湯管の熱膨張によってカバー部材がベース部材から離間する方向へ移動することが、第１係合機構を構成する係合爪と爪受部との係合で防止される。また、給湯管の熱膨張によってカバー部材の側壁がベース部材の面方向外側へ押されて変形することが、第２係合機構を構成する差込部と差込部が差し込まれる受け部とで防止されるため、面方向で並ぶ第１係合機構の係合が前記給湯管の熱膨張によって解除されるのを防止できる。
【０００９】
又、本発明のダクトは、前記係合爪を複数備え、前記係合爪及び前記受け部が、前記カバー部材の側壁の内面に備え、前記受け部が、一方の前記係合爪と他方の前記係合爪との間に設けられていてもよい。
【００１０】
上記のように、受け部が、一方の係合爪と他方の係合爪との間に設けられているので、受け部の両側に位置するカバー部材の側壁の部分（受け部と差込部とによる変形の規制をあまり受けない部分）を外側へ容易に変形させて係合爪と爪受部との係合を解除することができる。係合解除後は、カバー部材をベース部材から離間する方向へ移動させるだけで、受け部から差込部を抜いてカバー部材をベース部材から取り外すことができる。
【００１１】
又、本発明のダクトは、前記カバー部材が合成樹脂から構成され、前記受け部が、前記カバー部材に一体形成されるとともに、法線方向における前記差込部の差し込み始端側となる一端が開口し、かつ、差し込み終端側となる他端が閉塞した袋状に構成されていてもよい。
【００１２】
上記のように、受け部を袋状に構成することによって、受け部の強度を高めることができ、耐久性の向上を図れる。
【００１３】
又、本発明のダクトは、前記天壁及び前記側壁の内面に、該両壁に亘るように内側に突出する補強用リブを備え、前記給湯管は、山部と谷部とが交互に配置される蛇腹管からなり、前記補強用リブは、管軸心方向に所定ピッチを置いて複数備え、前記補強用リブの所定ピッチを、前記蛇腹管の谷部のピッチに一致させもよい。
【００１４】
上記のように、天壁及び側壁の内面に両壁部に亘るように内側に突出する補強用リブを備えることによって、カバー部材の保形強度を高めることができる。しかも、前記補強用リブの所定ピッチを、蛇腹管の谷部のピッチに一致させることによって、補強用リブの少なくとも一部が蛇腹管の谷部に入り込むことで、蛇腹管をダクトにガタツくことなく位置決めすることができる。
【発明の効果】
【００１５】
本発明によれば、給湯管が熱膨張しても、係合爪と係合爪と上下方向で係合する爪受部及び受け部と受け部に上下方向から差し込まれる差込部によって、カバー部材がベース部材から外れることを防止することができ、カバー部材が外れ難いダクトを提供することができる。
【図面の簡単な説明】
【００１６】
【図１】第１実施形態のダクトを構成するベース部材に収容された５本の流体管を示す正面図である。
【図２】同ダクトの分解斜視図である。
【図３】同ダクトの斜視図である。
【図４】同ダクトの底面図である。
【図５】図４におけるＶＩ−ＶＩ線断面図である。
【図６】図４におけるＶ−Ｖ線断面図である。
【図７】図６に示した係合がされていない不良状態を示す説明図である。
【図８】第２実施形態のダクトを示す正面図である。
【図９】同ダクトで覆っている管の接続部の拡大図である。
【図１０】同ダクトを構成するベース部材の斜視図である。
【図１１】同ダクトを構成するカバー部材の斜視図である
【図１２】同ダクトの斜視図である。
【図１３】同ダクトの底面図である。
【図１４】図１３におけるＸＩＶ−ＸＩＶ線断面図である。
【図１５】図１３におけるＸＶ−ＸＶ線断面図である。
【図１６】同ダクトに管がはめ込まれた状態を示す断面図である。
【発明を実施するための形態】
【００１７】
以下、本発明の実施形態を図面に基づいて説明する。
【００１８】
＜第１実施形態＞
図１に、３つの直線状の第１ダクトである直管ダクト１，２，３を接続するための接続用のＴ字状の第２ダクトであるチーズ４を示している。これら直管ダクト１，２，３及びチーズ４によって流体管等（電線も含む）を保護する。図１に示す３本の流体管５，６，７がＴ字状の分岐継手８により接続され、２本の流体管９，１０がＬ字状の分岐継手１１により接続されている。Ｔ字状の分岐継手８及び該分岐継手８により接続された３本の流体管５，６，７の一部がチーズ４に収容されるとともに、Ｌ字状の分岐継手１１及び該分岐継手１１により接続された２本の流体管９，１０の一部がチーズ４に収容されている。３本の流体管５，６，７は、お湯が流れる給湯管であり、２本の流体管９，１０は、水が流れる給水管である。
【００１９】
チーズ４は、図１及び図２に示されるように、取付部である壁面Ｗ（図１参照）にビス等の固定具により固定されるベース部材１２と、ベース部材１２に組み付けられてベース部材１２とで分岐継手８，１１及び流体管５，６，７，９，１０の一部を収容する空間を形成するカバー部材１３と、を備えている。ベース部材１２及びカバー部材１３は、各種の合成樹脂で形成される。
【００２０】
ベース部材１２は、図２及び図３に示すように、平坦な上面１２ａを有するＴ字状で板状のベース本体１２Ａと、ベース本体１２Ａの外周縁には、カバー部材１３とで３つの接続口Ｘ１，Ｘ２，Ｘ３を形成するための第１立壁１２Ｂ，１２Ｃ，１２Ｄが形成されている。第１立壁１２Ｂ…は、中央部が同一高さに構成され、中央部の幅方向両側に位置する両端部が端側ほど上方に位置するように湾曲した形状に構成されている。ベース本体１２Ａの外周縁のその他の部分には、Ｌ字状に屈曲した一対の第２立壁１２Ｅ，１２Ｅが形成され、両端部に直線状の一対の第３立壁１２Ｆ，１２Ｆとそれら第３立壁１２Ｆ，１２Ｆの間に後述する一対の第２差込部１２Ｇ，１２Ｇとがベース部材１２の面方向で並んで（横並びに）形成されている。なお、図２に、ビスが貫通する１個の丸孔Ｂ１と４個の長孔Ｂ２とが形成されている。
【００２１】
カバー部材１３は、ベース部材１２とで３つの接続口Ｘ１，Ｘ２，Ｘ３を形成すべく、平面視においてＴ字状の天壁１４と、天壁１４から下方に延びる側壁１５と、を備えている。天壁１４は、略長方形のフラットな第１天壁部１４Ａと、該第１天壁部１４Ａの一方の長辺の長さ方向中央部から外側に向けて延びる略長方形状の第２天壁部１４Ｂと、を備えている。側壁１５は、第１天壁部１４Ａの第２天壁部１４Ｂ側とは反対側の一方の長辺から垂下する第１側壁部１５Ａと、第１天壁部１４Ａの第２天壁部１４Ｂ側の他方の長辺の両端部から垂下する第２側壁部１５Ｂ，１５Ｂと、第２天壁部１４Ｂの一対の短辺から垂下する第３側壁部１５Ｃ，１５Ｃと、を備えている。なお、第３側壁部１５Ｃ，１５Ｃと第２側壁部１５Ｂ，１５Ｂとが一体化されている。
【００２２】
ベース部材１２に対してカバー部材１３が、係合機構により外れないように固定され、係合機構の係合を解除することにより外せるようにしている。係合機構は、係合解除自在に構成されている。この係合機構は、第１係合機構１６と、第１係合機構１６とベース部材１２の面方向で並んで（横並びに）設けられる第２係合機構１７と、を備えている。第１係合機構１６は、図４及び図５に示すように、第１係合爪１８と第１係合爪１８に上下方向で係合してベース部材１２に対してカバー部材１３が法線方向（ベース部材１２の厚み方向）で離間する方向へ移動することを防止する第１爪受部１９とを有している。第２係合機構１７は、２個の第２差込部１２Ｇ，１２Ｇと第２差込部１２Ｇ，１２Ｇが上下方向から差し込まれてカバー部材１３の側壁１５の第１側壁部１５Ａがベース部材１２の面方向外方側に押されたときにカバー部材１３の側壁１５の第１側壁部１５Ａの変形を防止する第２受け部２１とを有している。
【００２３】
それらについて詳述すれば、カバー部材１３の側壁１５の第１側壁部１５Ａの内面に、２個の第１係合爪１８，１８及び第１係合爪１８，１８にベース部材１２の面方向で並んで（横並びに）設けられた第２受け部２１を備え、これに対応するベース部材１２に、第１係合爪１８，１８にベース部材１２の法線方向で係合する第１爪受部１９，１９（図４参照）及び第１爪受部１９，１９にベース部材１２の面方向で並んで（横並びに）設けられ、第２受け部２１に法線方向上方から差し込まれる２個の第２差込部１２Ｇ，１２Ｇを備えている。図３及び図６に示すように、２個の第２差込部１２Ｇ，１２Ｇが第２受け部２１に差し込まれることによって、カバー部材１３の側壁１５の第１側壁部１５Ａがベース部材１２の面方向外方側に押されたときにカバー部材１３のベース部材１２の面方向外方側への変形を防止する。また、第２受け部２１が、一方の第１係合爪１８と他方の第１係合爪１８との間に設けられているので、第２受け部２１の両側に位置するカバー部材１３の側壁１５の第１側壁部１５Ａの部分（受け部と差込部とによる変形の規制をあまり受けない部分）を外側（外向き）へ容易に変形させて第１係合爪１８，１８と第１爪受部１９，１９との係合を解除することができる。係合解除後は、カバー部材１３をベース部材１２から離間する厚み方向上方へ移動させるだけで、第２受け部２１から第２差込部１２Ｇ，１２Ｇを抜いてカバー部材１３をベース部材１２から取り外すことができる。
【００２４】
カバー部材１３側の複数（ここでは２個）の第１係合爪１８，１８は、カバー部材１３の側壁１５の第１側壁部１５Ａの内面の下部でかつ長さ方向両端部に形成されている。各第１係合爪１８は、上面がフラット（平坦）な長方形状の板部１８Ａと、板部１８Ａを下方から支える複数（図では４枚）のリブ１８Ｂと、を備えている。リブ１８Ｂは、下方側ほど先細りになる三角形状に構成されている。カバー部材１３側の第２受け部２１は、第１側壁部１５Ａの内面の下部でかつ長さ方向両端に備える一方の第１係合爪１８と他方の第１係合爪１８との間に設けられている。また、第２受け部２１は、法線方向における第２差込部１２Ｇ，１２Ｇの差し込み始端側となる一端が開口し、かつ、差し込み終端側となる他端が閉塞した袋状（箱型）に構成され、２個の第２差込部１２Ｇ，１２Ｇをそれぞれ異なる内部空間内に差し込むように内部を長さ方向で２分割するための仕切板部（図示せず）を備えている。また、第２受け部２１は、それの下側部分に開口２１Ｋが下端側ほど大きくなるようにラッパ形状に構成されている。このようにラッパ形状に構成することによって、図７に示すように、第２受け部２１に第２差込部１２Ｇが入り込まない場合に、ベース部材１２からの距離Ｌが大きくなり、カバー部材１３がベース部材１２にセットされていないことがわかり、再度セットし直すことができる。前記第２受け部２１を袋状に構成することによって、第２受け部２１の強度を高めることができ、耐久性の向上を図れる。また、第２受け部２１の内部を仕切る仕切板部を備えることによって、第２受け部２１の強度を更に高めることができる。
【００２５】
ベース部材１２側の第１爪受部１９，１９は、ベース部材１２の下面の長辺部の長さ方向両端部に形成された一対の第１凹部から構成されている。また、ベース部材１２側の２個の第２差込部１２Ｇ，１２Ｇは、水平方向視において長方形の板状に構成され、ベース部材１２の第３立壁１５Ｃ，１５Ｃの間に面方向で並んで（横並びに）ベース部材１２の上面１２ａから法線方向上方に延びるように形成されている。
【００２６】
また、カバー部材１３の第２側壁部１５Ｂ，１５Ｂの内面の下部に、第２係合爪２０，２０が形成され、カバー部材１３の一対の第３側壁部１５Ｃ，１５Ｃの内面の下部に、第３係合爪２２，２２が形成されている。第２係合爪２０，２０は、上面がフラット（平坦）な平行四辺形状の板部２０Ａと、板部２０Ａを下方から支える複数（図では４枚）のリブ２０Ｂと、を備えている。リブ２０Ｂは、第２側壁部１５Ｂ，１５Ｂの内面に対して傾斜している。また、第３係合爪２２，２２は、第２係合爪２０，２０と同様に、上面がフラット（平坦）な平行四辺形状の板部２２Ａと、板部２２Ａを下方から支える複数（図では４枚）のリブ２２Ｂと、を備えている。リブ２２Ｂは、第３側壁部１５Ｃ，１５Ｃの内面に対して傾斜している。リブ２０Ｂ，２２Ｂは、下方側ほど先細りになる三角形状に構成されている。
【００２７】
第２係合爪２０，２０及び第３係合爪２２，２２が係合する第２爪受部２３及び第３爪受部２４が、一対の第２立壁１２Ｅ，１２Ｅの下面に形成されたＬ字形状の凹部から構成されている。
【００２８】
このように構成されたベース部材１２に対してカバー部材１３を係止固定する場合には、ベース部材１２の法線方向（厚み方向）上方からカバー部材１３を位置合わせしながら、ベース部材１２にカバー部材１３を接近させることによって、第２受け部２１に２個の第２差込部１２Ｇ，１２Ｇが入り込み、さらにカバー部材１３の下端がベース部材１２の下面よりも下方に位置するようにカバー部材１３をさらに押し込むことによって、第１係合爪１８，１８が第３立壁１２Ｆ，１２Ｆに当接し、かつ、第２係合爪２０，２０及び第３係合爪２２，２２が第２立壁１２Ｅ，１２Ｅに当接することによって、第１〜第３側壁部１５Ａ，１５Ｂ，１５Ｂ，１５Ｃ，１５Ｃが外側に広がって、第１係合爪１８，１８が第３立壁１２Ｆ，１２Ｆを通過し、かつ、第２係合爪２０，２０及び第３係合爪２２，２２が第２立壁１２Ｅ，１２Ｅを通過すると、復元力により第１〜第３側壁部１５Ａ，１５Ｂ，１５Ｂ，１５Ｃ，１５Ｃが内側に戻ることによって、第１係合爪１８，１８が第１爪受部（第１凹部）１９，１９に係合し、かつ、第２係合爪２０，２０が第２爪受部（第２凹部）２３及び第３爪受部（第３凹部）２４に係合し、かつ、第３係合爪２２，２２が第２爪受部（第２凹部）２３及び第３爪受部（第３凹部）２４に係合して、カバー部材１３をベース部材１２に係合により固定することができる。
【００２９】
固定後において、給湯管５，６，７の熱膨張によって、カバー部材１３の天壁１４がベース部材１２から離間する方向へ移動することが、６個の第１〜第３係合爪１８，１８、２０，２０、２２，２２と４個の第１〜第３爪受部（凹部）１９，１９、２３，２４との係合で阻止される。また、給湯管５，６，７の熱膨張によって図１に示すように給湯管７が伸長側（矢印Ｙ１の方向）に延びてしまった場合に、カバー部材１３の第１側壁部１５Ａがベース部材１２の面方向外側（図１の矢印Ｙ２の方向）へ押されて変形することが、第２受け部２１に差し込まれた第２差込部１２Ｇ，１２Ｇで阻止されるため、面方向で並ぶ第１係合機構１６の係合が給湯管５，６，７の熱膨張によって解除されるのを防止できる。
【００３０】
前記構成のチーズ４では、外部から側壁１５の第１側壁部１５Ａに衝撃力が作用しても、第１係合機構１６及び第２係合機構１７の係合が解除されることがない。この状況下において、給湯管５，６，７の熱膨張によって側壁１５の第１側壁部１５Ａの内側からの変形を防止できる。これは、前記のように第１係合機構１６と第２係合機構１７とが面方向で並んでいること及び第２受け部２１が、一方の第１係合爪１８と他方の第１係合爪１８との間に設けられていることに起因する。
【００３１】
カバー部材１３をベース部材１２から取り外す場合には、カバー部材１３の側壁１５を構成する第１〜第３側壁部１５Ａ，１５Ｂ，１５Ｃを外側へ開くことによって、６個の第１〜第３係合爪１８，１８、２０，２０、２２，２２と４個の第１〜第３爪受部（凹部）１９，１９、２３，２４との係合を解除したのち、カバー部材１３をベース部材１２から離間する法線方向上方へ移動させることによって、カバー部材１３をベース部材１２から取り外すことができる。
【００３２】
＜第２実施形態＞
次に、第２実施形態を説明する。図８では、配管コーナー部においてベンダー曲げ等により湾曲された一本の給水給湯管２６の湾曲部を屈曲自在な一本の蛇腹管２５で覆っている。蛇腹管２５は、円環状の山部２５Ａと山部２５Ａよりも径の小さな円環状の谷部２５Ｂとが交互に配置された管から構成されている。また、蛇腹管２５の管軸方向両端部が、第３ダクトであるジョイント２８，２８を介して第４ダクトである直管ダクト２９，２９にそれぞれ固定されている。なお、給水給湯管２６は、給水と給湯のいずれもが行える管である。
【００３３】
ジョイント２８は、取付部である壁面Ｗにビス等の固定具により固定される一対のビス孔３０Ｋ，３０Ｋが形成されたベース部材３０（図１０参照）と、ベース部材３０に組み付けられてベース部材３０とで接続部分を収容する空間を形成するカバー部材３１（図１１参照）と、を備えている。ベース部材３０及びカバー部材３１は、各種の合成樹脂で形成されている。
【００３４】
ベース部材３０は、図１０に示すように、平坦な上面３０ａを有する矩形状で板状のベース本体３０Ａと、ベース本体３０Ａの管軸心方向一端に形成され、かつ、第４ダクト２９に接続するために矩形状でリング状に構成された接続部３０Ｂと、ベース本体３０Ａの管軸心方向他端に形成され、かつ、蛇腹管２５の周方向一部分に係合すべくベース本体３０Ａの幅方向全域に亘る板状で円弧状の一対の第１立壁部３０Ｃ，３０Ｄと、を備えている。前記ベース本体３０Ａの幅方向両端における管軸方向接続部３０Ｂ側部位に、上方に突出する第２立壁部３０Ｅ，３０Ｅが形成され、それら第２立壁部３０Ｅ，３０Ｅの下部に後述する第１係合爪４０，４０が幅方向外側から係合する第２凹部３０Ｆ，３０Ｆ（図１０では一方のみ図示している）が形成されている。また、前記ベース本体３０Ａの幅方向両端における管軸方向第１立壁部３０Ｄ側部位に、第２立壁部３０Ｅ，３０Ｅよりも厚みが薄く外側に位置する第３立壁部３０Ｇ，３０Ｇが形成され、それら第３立壁部３０Ｇ，３０Ｇと第２立壁部３０Ｅ，３０Ｅの側面３０ｅ，３０ｅと一方の第１立壁部３０Ｄの側面（図には表れていない）とで第３凹部３０Ｈ，３０Ｈが第２凹部３０Ｆ，３０Ｆと面方向で並んで形成されている。前記第２凹部３０Ｆ，３０Ｆが、ベース部材３０側の爪受部を構成し、第３凹部３０Ｈ，３０Ｈが、後述する受け部を構成する。
【００３５】
カバー部材３１は、図１１及び図１３に示すように、ベース部材３０とで接続部を覆うべく、円弧状で板状の天壁３１Ａと、天壁３１Ａから下方に延びる板状の側壁３１Ｂ，３１Ｂと、を備えている。天壁３１Ａ及び側壁３１Ｂ，３１Ｂの内面には、一方の側壁３１Ｂから天壁３１Ａを介して他方の側壁３１Ｂまで延びるとともに内側に突出する５本の板状の第１〜第５補強用リブ３２，３３，３４，３５，３６を管軸心方向に沿って所定間隔を置いて備えている。また、一対の側壁３１Ｂ，３１Ｂの接続部３０Ｂ側端部にそれぞれ、内側に突出する板状の第６補強用リブ３７を備えている。天壁３１Ａは、図１２に示すように、同一の円弧部を有する第１天壁部３１ａと、第１天壁部３１ａの端から徐々に円弧の径が小さくなるテーパー形状の第２天壁部３１ｂと、を備えている。このようにカバー部材３１に第１〜第６補強用リブ３２，３３，３４，３５，３６，３７を備えることによって、カバー部材３１の保形強度を高めることができる。
【００３６】
図１１及び図１６に示すように、第２〜第４補強用リブ３３，３４，３５の互いに隣り合う２つの補強用リブ間のピッチを、蛇腹管２５の谷部２５Ｂ，２５Ｂ間のピッチに一致させている。また、第１補強用リブ３２と第２補強用リブ３３とのピッチを、蛇腹管２５の谷部２５Ｂ，２５Ｂ間のピッチの２倍に設定している。このようにすることによって、図１６に示すように、第１〜第４補強用リブ３２，３３，３４，３５が蛇腹管２５の谷部２５Ｂ…に入り込むことで、蛇腹管２５をジョイント２８にガタツくことなく位置決めすることができる。
【００３７】
ベース部材３０に対してカバー部材３１が、係合機構により外れないように固定され、係合機構の係合を解除することにより外せるようにしている。係合機構は、係合解除自在に構成されている。この係合機構は、第１係合機構３８と、第１係合機構３８と面方向で並んで（横並びに）設けられる第２係合機構３９と、を備えている。
【００３８】
第１係合機構３８は、図１１及び図１４に示すように、一対の第１係合爪４０，４０（図１１では一方のみ図示している）と第１係合爪４０，４０に上下方向で係合してベース部材３０に対してカバー部材３１が法線方向で離間する方向へ移動することを防止する第１爪受部である前記第２凹部３０Ｆ，３０Ｆとを有している。第２係合機構３９は、図１１及び図１５に示すように、２個の第２差込部４１，４１と第２差込部４１，４１が上下方向から差し込まれてカバー部材３１の側壁３１Ｂ，３１Ｂがベース部材３０の面方向外方側に押されたときにカバー部材３１の側壁３１Ｂ，３１Ｂの面方向外方側への変形を防止する第２受け部である第３凹部３０Ｈ，３０Ｈとを有している。
【００３９】
それらについて詳述すれば、カバー部材３１の側壁３１Ｂの内面の下部に、２個の第１係合爪４０，４０に面方向で並んで設けられた第２差込部４１，４１を備え、これに対応するベース部材１２の箇所（部位）に、第１係合爪４０，４０に上下方向で係合する第１爪受部である第２凹部３０Ｆ，３０Ｆ（図１０参照）及び第２凹部３０Ｆ，３０Ｆに面方向で並んで（横並びに）設けられ第２差込部４１，４１が上下方向から差し込まれてカバー部材３１の側壁３１Ｂ，３１Ｂがベース部材３０の面方向外方側に押されたときにカバー部材３１のベース部材３０の面方向外方側への変形を防止する２個の第２受け部である第３凹部３０Ｈ，３０Ｈを備えている。
【００４０】
２個の第２差込部４１，４１は、第３補強用リブ３４及び第４補強用リブ３５の下端に一体形成され、ベース部材３０に形成の第３凹部３０Ｈ，３０Ｈに法線方向上方から差し込まれてカバー部材３１の側壁３１Ｂ，３１Ｂがベース部材３０の面方向外方側に押されたときにカバー部材３１の変形を防止する。各第２差込部４１は、第３補強用リブ３４及び第４補強用リブ３５の下端から内側に延びる側部４１Ａ，４１Ａと、側部４１Ａ，４１Ａの内側端から下方に延びて前記第３凹部３０Ｈ，３０Ｈに入り込む下側部４１Ｂ，４１Ｂと、側部４１Ａ，４１Ａ及び下側部４１Ｂ，４１Ｂを管軸心方向で連結する連結部４１Ｃと、を備えている。
【００４１】
カバー部材３１側の２個の第１係合爪４０，４０は、カバー部材３１の側壁部３１Ｂ，３１Ｂの内面の下部でかつ接続部３０Ｂ側に形成されている。各第１係合爪４０は、上面がフラット（平坦）な長方形状の板部４０Ａと、板部４０Ａを下方から支える複数（図では３枚）のリブ４０Ｂと、を備えている。リブ４０Ｂは、下方側ほど先細りになる三角形状に構成されている。
【００４２】
このように構成されたベース部材３０に対してカバー部材３１を係止固定する場合には、ベース部材３０の法線方向上方からカバー部材３１を位置合わせしながら、ベース部材３０に接近させることによって、第２受け部である第３凹部３０Ｈ，３０Ｈに２個の第２差込部４１，４１が入り込み、さらにカバー部材３１の下端がベース部材３０の下面よりも下方に位置するようにカバー部材３１をさらに押し込むことによって、第１係合爪４０，４０が第２立壁部３０Ｅ，３０Ｅに当接することによって、側壁部３１Ｂ，３１Ｂが外側に広がって、第１係合爪４０，４０が第２立壁部３０Ｅ，３０Ｅを通過すると、復元力により側壁部３１Ｂ，３１Ｂが内側に戻ることによって、第１係合爪４０，４０が第２凹部３０Ｆ，３０Ｆに係合して、カバー部材３１をベース部材３０に係合により固定することができる。
【００４３】
固定後において、給湯管２５の熱膨張によって、カバー部材３１の天壁３１Ａがベース部材３０から法線方向で離間する方向へ移動することが、２個の第１係合爪４０，４０と２個の第２凹部３０Ｆ，３０Ｆとの係合で阻止される。また、給湯管２５の熱膨張によって、カバー部材３１の側壁部３１Ｂ，３１Ｂがベース部材３０の面方向外側へ押されることが、第２受け部である第３凹部３０Ｈ，３０Ｈに差し込まれた第２差込部４１，４１で阻止され、カバー部材３１の変形を防止することができる。
【００４４】
尚、本発明は、上記第１及び第２実施形態に限定されるものではなく、本発明の要旨を逸脱しない範囲で種々の変更が可能である。
【００４５】
前記第１実施形態では、給湯管が接続される部分を保護するダクトについて説明したが、給湯管そのものを保護する長尺なダクトであってもよい。
【００４６】
また、前記第１実施形態では、複数の係合爪を設けたが、一個の係合爪を設けて実施してもよい。
【００４７】
また、前記第１実施形態では、給湯管及び給水管の複数本の流体管を収容するダクトを示したが、給湯管１本だけを収容するダクトであってもよい。
【００４８】
また、前記第１実施形態では、ベース部材１２に第１爪受部１９及び第２差込部１２Ｇを設け、カバー部材１３に第１係合爪１８及び第２受け部２１を設けたが、これとは逆に、ベース部材１２に第１係合爪１８及び第２受け部２１を設け、カバー部材１３に第１爪受部１９及び第２差込部１２Ｇを設けてもよく、第１係合機構１６及び第２係合機構１７を構成する部材をベース部材１２及びベース部材１２のどちらに設けてもよい。
【００４９】
また、前記第１実施形態では、受け部をベース部材１２の法線方向一端（下端）が開口された袋状に構成したが、対向する一対の壁部から構成してもよい。
【符号の説明】
【００５０】
１，２，３…直管ダクト、４…チーズ、５，６，７，９，１０…流体管、８，１１…分岐継手、１２…ベース部材、１２Ａ…ベース本体、１２Ｂ，１２Ｃ，１２Ｄ…第１立壁、１２Ｅ…第２立壁、１２Ｆ…第３立壁、１２Ｇ…第２差込部、１２ａ…上面、１３…カバー部材、１４…天壁、１４Ａ…第１天壁部、１４Ｂ…第２天壁部、１５…側壁、１５Ａ…第１側壁部、１５Ｂ…第２側壁部、１５Ｃ…第３側壁部、１６…第１係合機構、１７…第２係合機構、１８…第１係合爪、１８Ａ…板部、１８Ｂ…リブ、１９…第１爪受部、２０…第２係合爪、２０Ａ…板部、２０Ｂ…リブ、２１…第２受け部、２１Ｋ…開口、２２…第３係合爪、２２Ａ…板部、２２Ｂ…リブ、２３…第２爪受部、２４…第３爪受部、２５…蛇腹管（給湯管）、２５Ａ…山部、２５Ｂ…谷部、２６…給水給湯管、２８…ジョイント、２９…直管ダクト、３０…ベース部材、３０Ａ…ベース本体、３０Ｂ…接続部、３０Ｃ，３０Ｄ…第１立壁部、３０Ｅ…第２立壁部、３０Ｆ…第２凹部、３０Ｇ…第３立壁部、３０Ｈ…第３凹部、３０Ｋ…ビス孔、３０ａ…上面、３０ｅ…側面、３１…カバー部材、３１Ａ…天壁、３１Ｂ…側壁部、３１ａ…第１天壁部、３１ｂ…第２天壁部、３２，３３，３４，３５，３６，３７…補強用リブ、３８…第１係合機構、３９…第２係合機構、４０…第１係合爪、４０Ａ…板部、４０Ｂ…リブ、４１…第２差込部、４１Ａ…側部、４１Ｂ…下側部、４１Ｃ…連結部、Ｂ１…丸孔、Ｂ２…長孔、Ｌ…距離、Ｗ…壁面、Ｘ１，Ｘ２，Ｘ３…接続口、Ｙ１，Ｙ２…矢印
【図１】
2019105348.tif 000003
【図２】
2019105348.tif 000004
【図３】
2019105348.tif 000005
【図４】
2019105348.tif 000006
【図５】
2019105348.tif 000007
【図６】
2019105348.tif 000008
【図７】
2019105348.tif 000009
【図８】
2019105348.tif 000010
【図９】
2019105348.tif 000011
【図１０】
2019105348.tif 000012
【図１１】
2019105348.tif 000013
【図１２】
2019105348.tif 000014
【図１３】
2019105348.tif 000015
【図１４】
2019105348.tif 000016
【図１５】
2019105348.tif 000017
【図１６】
2019105348.tif 000018